(57)【特許請求の範囲】
【請求項１】
濃度未知の溶質を含有する溶液の密度を、前記溶液を収容可能な振動管を有する振動式密度計で測定する工程と、
前記溶液の密度を前記溶液の密度と溶質濃度との相関式にしたがって溶液中の溶質の濃度を演算する工程と、
前記振動管の振動数を測定する前に、前記振動管の振動数を測定するときの温度と同じ温度に加温された洗浄液をこの振動管中に流通させる振動管の洗浄工程とを有することを特徴とする溶質濃度測定方法。
【請求項２】
前記相関式がＹ＝ａＸ＋ｂ（ただし、Ｙは溶液の密度（単位；ｇ／ｃｍ３ ）を示し、Ｘは溶液中の溶質濃度（単位；ｐｐｍ）を示し、ａ及びｂは定数を示す。）で示される一次関数である前記請求項１に記載の溶質濃度測定方法。
【請求項３】
前記溶液が濃度未知のほう素化合物を含有するほう素化合物含有溶液であり、溶質濃度がほう素濃度である前記請求項１又は２に記載の溶質濃度測定方法。
【請求項４】
前記溶液が原子力発電装置に使用される一次冷却材に注入されるほう素化合物含有溶液であり、溶質濃度がほう素濃度である前記請求項１〜３のいずれか１項に記載の溶質濃度測定方法。
【請求項５】
前記振動管の振動数を測定する前に、前記溶液に超音波を照射する発泡防止工程を有する前記請求項１〜４のいずれか１項に記載の溶質濃度測定方法。
【請求項６】
前記相関式は、空気と純水とで校正された振動式密度計で濃度既知のほう素化合物含有溶液の密度を測定することにより求められる相関式である前記請求項３〜５のいずれか１項に記載の溶質濃度測定方法。
【請求項７】
濃度未知の溶質を含有する溶液の密度に対応するパラメータを測定し、その測定信号を出力するとともに、前記溶液を収容可能な振動管を有する振動式密度計と、
前記振動式密度計から出力される測定信号に基づいて濃度未知の溶質を含有する溶液の密度を演算し、前記溶液の密度と密度測定時の温度とから前記溶液の密度と溶質濃度との相関式にしたがって溶質濃度を演算する演算手段と、
前記振動管の振動数を測定する前に、前記振動管の振動数を測定するときの温度と同じ温度に加温された洗浄液をこの振動管中に流通させる洗浄液供給装置とを有することを特徴とする溶質濃度測定装置。
【請求項８】
前記相関式がＹ＝ａＸ＋ｂ（ただし、Ｙは溶液の密度（単位；ｇ／ｃｍ３ ）を示し、Ｘは溶液中の溶質の濃度（単位；ｐｐｍ）を示し、ａ及びｂは定数を示す。）で示される一次関数である前記請求項７に記載の溶質濃度測定装置。
【請求項９】
前記溶液が、濃度未知のほう素化合物を含有するほう素化合物含有溶液であり、溶質濃度がほう素濃度である前記請求項７又は８に記載の溶質濃度測定装置。
【請求項１０】
前記演算手段が、前記振動式密度計から出力される測定信号に基づいて濃度未知のほう素化合物を含有するほう素化合物含有溶液の密度を演算し、得られたほう素化合物含有溶液の密度と密度測定時の温度とからほう素化合物含有溶液の密度とほう素濃度との相関式にしたがってほう素濃度を演算する演算手段である前記請求項７〜９のいずれか１項に記載の溶質濃度測定装置。
【請求項１１】
前記振動式密度計に装備された振動管に供給される濃度未知の溶液に超音波を照射する超音波照射装置を有してなる前記請求項７〜１０のいずれか１項に記載の溶質濃度測定装置。
【発明の詳細な説明】
【０００１】
【発明の属する技術分野】
この発明は溶質濃度測定方法及び溶質濃度測定装置に関する。さらに詳しくは、この発明は、溶質が一種の成分に限定することのできる溶液中のその溶質の濃度を測定することのできる濃度測定方法及び濃度測定装置に関し、特に、簡単な操作手順により、ほう素化合物を含有する溶液中のほう素濃度を正確に測定することができるほう素濃度測定方法及びほう素濃度測定装置に関し、さらには、原子力発電における一次冷却材中のほう素含有量の測定に好適なほう素濃度測定方法及びほう素濃度測定装置に関する。
【０００２】
【従来の技術と発明が解決しようとする課題】
原子力発電に利用されるたとえば加圧水型原子炉には、一次冷却材が使用される。この一次冷却材には、中性子を吸収するためにほう素化合物含有溶液が注入される。また、原子炉の安全な運転を確保するために、この一次冷却材に注入されるほう酸量が厳密に管理されねばならない。
【０００３】
そこで、一次冷却材に注入されるほう酸量は、濃度既知のほう素化合物含有溶液の注入量をもって管理される。ここで重要なことはそのほう素化合物含有溶液のほう素濃度を正確に測定することである。
【０００４】
原子力発電関係で使用されるほう素化合物含有溶液のほう素濃度の測定は、通常、滴定法によっている。たとえば、ほう素化合物含有溶液中のほう酸をα−ジオール形の多価アルコールで錯ほう酸にし、一塩基性酸として中和滴定する方法、ほう素化合物含有溶液中のほう酸をα−ジオール形の多価アルコールで錯ほう酸にし、一塩基性酸として導電率を測定するなどのアルカリ滴定法、及びほう素化合物含有溶液中のほう酸を硼酒石酸バリウムに変えてこれを沈殿分離し、この中のバリウムをＥＤＴＡで滴定する方法、ほう素化合物含有溶液中のほう酸をマンニトールほう酸に変え、遊離するＨ+ をＨＩＯ3 で滴定する方法などの間接滴定法が、ほう素濃度測定法として採用されている。
【０００５】
しかしながら、これら滴定法においては、滴定溶液の調製が煩雑であり、また滴定操作の度ごとに試料溶液を一々調製するのが煩雑である。
【０００６】
数万ｐｐｍのオーダーでほう酸を含有するほう素化合物含有溶液においては、常温ではほう酸が析出することがあるので、高温に加熱することによりほう酸が析出しないようにしなければならない。このような高温に加熱する操作が煩雑であるので、高濃度のほう素化合物含有溶液のほう素濃度を測定するときには、常温では析出しないような低濃度にほう素化合物含有溶液を希釈している。このような希釈操作自体が煩雑であり、しかも希釈操作などの操作を行なうこと自体が濃度測定値を不正確にする要因となる。また、滴定法による濃度測定には、操作者の熟練に負うところが多く、熟練者が滴定操作を行なっても、得られる濃度値に大きなバラ付きを生じることがあった。
【０００７】
このように従来のほう素含有溶液のほう素濃度測定を滴定法によって求めていたのでは、上述のような問題点があるので、この発明者らは上記問題のないほう素化合物含有溶液中のほう素濃度を測定する方法及びその測定装置の開発を企図した。
【０００８】
その開発途上で、この発明者らは、ほう素化合物含有溶液の密度とそのほう素濃度とが良好な相関を有することを見出した。そして、ほう素化合物含有溶液の密度を測定するのに振動式密度計を使用することに着目した。
【０００９】
しかしながら、振動式密度計で高濃度のほう素化合物含有溶液の密度を測定しようとすると、高濃度のほう素化合物含有溶液中で温度低下によるほう酸の析出を防止するために振動管を高温に加熱しなければならないところ、振動管中で高温のほう素化合物含有溶液に気泡が発生すると言う問題点が見出された。また、振動式密度計でほう素化合物含有溶液の密度を測定する度に振動管を洗浄しなければならないのであるが、洗浄液で洗浄すると、それまで高温のほう素含有溶液の流通により高温度に維持されていた振動管自体の温度が低下してしまい、振動管の内容積が変化する。この内容積の変化は測定結果に誤差を生じさせると言う問題のあることも見出された。また、振動式密度計でほう素化合物含有溶液の密度を測定する場合に、純水と濃度既知のほう素化合物含有溶液とを使用してその振動式密度計の校正を行なっていたところ、そのような校正では濃度既知のほう素化合物含有溶液の調製が煩雑であると言う問題もあった。
【００１０】
このような知見及び着目から更に、溶質が一種類であるとし、あるいは溶質が一種類であるとみなして良い場合の溶質の濃度測定には、その溶質の濃度とその溶液の密度との関係に良好な相関を有するとし、密度測定の誤差となるような条件を払拭することにより、その溶液の密度からその溶液中の溶質の濃度をより一層良好かつ正確に求めることができると、この発明者らは結論した。
【００１１】
この発明は、この発明者らの上記結論に基づき、上述した問題点を解消することを目的にする。この発明の目的は、滴定操作などに代表される手分析において見られたような溶質濃度の測定値たとえばほう素濃度の測定値に誤差がなく、操作者による測定値のバラつきがなく、簡単な操作で正確に溶質濃度たとえばほう素化合物含有溶液中のほう素濃度を測定することのできる濃度測定方法たとえばほう素濃度測定方法及び濃度測定装置たとえばほう素濃度測定装置を提供することにある。
【００１２】
この発明の他の目的は振動式密度計を利用して溶液中の溶質の濃度たとえばほう素化合物含有溶液のほう素濃度を、簡単な操作で正確に求めることのできる溶質濃度測定方法たとえばほう素濃度測定方法及び溶質濃度測定装置たとえばほう素濃度測定装置を提供することにある。
【００１３】
この発明の他の目的は、振動式密度計を利用して溶液中の溶質の濃度たとえばほう素化合物含有溶液のほう素濃度を、振動式密度計中の振動管中に気泡を発生させずに、簡単な操作で正確に求めることのできる溶質濃度測定方法たとえばほう素濃度測定方法及び溶質濃度測定装置たとえばほう素濃度測定装置を提供することにある。
【００１４】
この発明の他の目的は、振動式密度計を利用して溶液中の溶質の濃度たとえばほう素化合物含有溶液のほう素濃度を、振動式密度計中の振動管を洗浄することにより発生する測定誤差を無くして、簡単な操作で正確に求めることのできる溶質濃度測定方法たとえばほう素濃度測定方法及び溶質濃度測定装置たとえばほう素濃度測定装置を提供することにある。
【００１５】
この発明の他の目的は、簡単な操作により校正された振動式密度計を利用して、溶液の密度と溶液中の溶質濃度との良好な相関関係、たとえばほう素化合物含有溶液の密度とほう素化合物含有溶液中のほう素濃度との良好な相関関係を基礎にして、簡単な操作でバラつきなく正確に溶質濃度たとえばほう素濃度を測定することのできる溶質濃度測定方法たとえばほう素濃度測定方法及び溶質濃度測定装置たとえばほう素濃度測定装置を提供することにある。
【００１６】
【課題を解決するための手段】
前記課題を解決するためのこの発明の手段は、
（１）濃度未知の溶質を含有する溶液の密度を、前記溶液を収容可能な振動管を有する振動式密度計で測定する工程と、前記溶液の密度を前記溶液の密度と溶質濃度との相関式にしたがって溶液中の溶質の濃度を演算する工程と、前記振動管の振動数を測定する前に、前記振動管の振動数を測定するときの温度と同じ温度に加温された洗浄液をこの振動管中に流通させる振動管の洗浄工程とを有することを特徴とする溶質濃度測定方法であり、
（２）  前記（１）に記載の溶質濃度測定方法において、前記相関式がＹ＝ａＸ＋ｂ（ただし、Ｙは溶液の密度（単位；ｇ／ｃｍ３ ）を示し、Ｘは溶液中の溶質濃度（単位；ｐｐｍ）を示し、ａ及びｂは定数を示す。）で示される一次関数である溶質濃度測定方法であり、
（３）  前記（１）又は（２）に記載の溶質濃度測定方法において、前記溶液が濃度未知のほう素化合物を含有するほう素化合物含有溶液であり、溶質濃度がほう素濃度である溶質濃度測定方法であり、
（４）  前記（１）〜（３）のいずれか１項に記載の溶質濃度測定方法において、前記溶液が原子力発電装置に使用される一次冷却材に注入されるほう素化合物含有溶液であり、溶質濃度がほう素濃度である溶質濃度測定方法であり、
（５）  前記（１）〜（４）のいずれか１項に記載の溶質濃度測定方法において、前記振動管の振動数を測定する前に、前記溶液に超音波を照射する発泡防止工程を有する溶質濃度測定方法であり、
（６）  前記（３）〜（５）のいずれか１項に記載の溶質濃度測定方法において、前記相関式は、空気と純水とで校正された振動式密度計で濃度既知のほう素化合物含有溶液の密度を測定することにより求められる相関式である溶質濃度測定方法であり、
（７）  濃度未知の溶質を含有する溶液の密度に対応するパラメータを測定し、その測定信号を出力するとともに、前記溶液を収容可能な振動管を有する振動式密度計と、前記振動式密度計から出力される測定信号に基づいて濃度未知の溶質を含有する溶液の密度を演算し、前記溶液の密度と密度測定時の温度とから前記溶液の密度と溶質濃度との相関式にしたがって溶質濃度を演算する演算手段と、前記振動管の振動数を測定する前に、前記振動管の振動数を測定するときの温度と同じ温度に加温された洗浄液をこの振動管中に流通させる洗浄液供給装置とを有することを特徴とする溶質濃度測定装置であり、
（８）  前記（７）に記載の溶質濃度測定装置において、前記相関式がＹ＝ａＸ＋ｂ（ただし、Ｙは溶液の密度（単位；ｇ／ｃｍ３ ）を示し、Ｘは溶液中の溶質の濃度（単位；ｐｐｍ）を示し、ａ及びｂは定数を示す。）で示される一次関数である溶質濃度測定装置であり、
（９）  前記（７）又は（８）に記載の溶質濃度測定装置において、前記溶液が、濃度未知のほう素化合物を含有するほう素化合物含有溶液であり、溶質濃度がほう素濃度である溶質濃度測定装置であり、
（１０）  前記（７）〜（９）のいずれか１項に記載の溶質濃度測定装置において、前記演算手段が、前記振動式密度計から出力される測定信号に基づいて濃度未知のほう素化合物を含有するほう素化合物含有溶液の密度を演算し、得られたほう素化合物含有溶液の密度と密度測定時の温度とからほう素化合物含有溶液の密度とほう素濃度との相関式にしたがってほう素濃度を演算する演算手段である溶質濃度測定装置であり、
（１１）  前記（７）〜（１０）のいずれか１項に記載の溶質濃度測定装置において、前記振動式密度計に装備された振動管に供給される濃度未知の溶液に超音波を照射する超音波照射装置を有してなる溶質濃度測定装置である。
【００１７】
【発明の実施の形態】
この発明は、密度計たとえば振動式密度計で求められた溶液の密度たとえばほう素化合物含有溶液の密度と溶液中の溶質の濃度たとえばほう素化合物含有溶液の濃度とに、極めて良好な相関関係があると言う発見に基づく。
【００１８】
この発明の溶質濃度測定方法によると、濃度未知の溶質を含有する溶液の密度を密度計で測定し、その溶液の密度を、濃度既知の溶質を含有する溶液の密度と濃度との相関式に当てはめることにより求める。したがって、濃度未知の溶質を含有する溶液の密度を密度計で測定すると言う操作、及び密度計で求められた前記溶液の密度から前記相関式を用いてその密度を算出すると言う演算操作で濃度未知の溶液中の溶質の濃度を求めることができるのであるから、操作が単純であり、操作者による測定値のバラつきがなく、溶液の溶質濃度が正確に測定される。
【００１９】
この発明の溶質濃度測定方法は、溶質が一種の成分であるか、又は溶質が実質的に一種であるとみなせる溶液における溶質の濃度の測定に特に有効である。このような溶液として、濃度未知のほう素化合物を含有する溶液すなわちほう素化合物含有溶液が挙げられ、その溶液の溶質濃度としてほう素濃度が挙げられる。前記ほう素化合物含有溶液としては、たとえば原子力発電設備における一次冷却材のように、溶質としてほう酸などのほう素化合物が主成分である場合のほう素化合物含有溶液が挙げられ、このほう酸含有溶液におけるほう素濃度測定にこの発明の溶質濃度測定方法が特に有効である。
【００２０】
この発明の溶質濃度測定方法をほう素濃度測定に適用した場合、濃度未知のほう素化合物含有溶液の密度を密度計で、好ましくは振動式密度計で測定し、得られるほう素化合物含有溶液の密度を、既に求められているほう素化合物含有溶液の密度と濃度との相関式に当てはめることにより求める。したがって、密度計で、好適には振動式密度計でほう素化合物含有溶液の密度を測定すると言う操作及び密度計で、好適には振動式密度計で求められたほう素化合物含有溶液の密度から、この発明者により見出された相関式を用いてその密度を算出すると言う演算操作で、ほう素化合物含有溶液中のほう素濃度を求めることができるのであるから、操作が単純であり、操作者による測定値のバラつきがなく、正確にほう素化合物含有溶液のほう素濃度が測定される。
【００２１】
溶液の密度と溶液中の溶質の濃度との相関式は、Ｙ＝ａＸ＋ｂで示されことができる。
【００２２】
ただし、Ｙは溶液特にほう素化合物含有溶液の密度（単位；ｇ／ｃｍ3 ）を示し、Ｘは溶液中の溶質濃度特にほう素化合物含有溶液におけるほう素濃度を（単位；ｐｐｍ）を示し、ａ及びｂは定数を示す。
【００２３】
溶液がほう素化合物含有溶液であり、求める溶質濃度がほう素濃度であるときには、密度計としては振動式密度計が好ましい。この場合、振動式密度計に組み込まれた振動管中に濃度未知のほう素化合物含有溶液を流通させ、そのほう素化合物含有溶液を収容した振動管の振動周期を測定することによりそのほう素化合物含有溶液の密度を求め、求められたほう素化合物含有溶液の密度とほう素化合物含有溶液の濃度と場合により温度との相関式から濃度未知のほう素化合物含有溶液のほう素濃度を求めることができる。ほう素濃度の測定後に次のほう素化合物含有溶液の密度を測定するときには、あるいは第１回目のほう素濃度測定行なう前に、振動式密度計中の振動管を洗浄する洗浄工程が必要になることがある。
【００２４】
振動管の洗浄に際しては、ほう素化合物含有溶液を測定するときのそのほう素化合物含有溶液の温度と実質的に同じ温度に加温された洗浄液を振動管中に流通させるのが良い。したがって、洗浄時に振動管が洗浄液により測定時のほう素化合物含有溶液の温度に加温されているから、洗浄後の振動管にほう素化合物含有溶液を流通させても、振動管自体に温度の変化がなくなる。洗浄時と測定時とで振動管に温度変化が生じていないから、たとえば常温の洗浄液を振動管に流通させてから高温のほう素化合物含有溶液を流通させることによる振動管の熱膨張変化に基づく測定誤差がなくなり、ほう素化合物含有溶液のほう素濃度が正確に測定される。
【００２５】
振動式密度計で溶液の密度、特にほう素化合物含有溶液の密度を測定する場合には、振動式密度計の振動管に供給されるほう素化合物含有溶液に超音波を照射するのが良い。ほう素化合物含有溶液に超音波を照射すると、ほう素化合物含有溶液中の溶存気体が気泡となって溶液外に揮散する。超音波照射の終了したほう素化合物含有溶液を振動管に流通させた場合には、そのほう素化合物含有溶液は既に脱気されているので、密度測定時の所定温度にほう素化合物含有溶液が加熱されても、ほう素化合物含有溶液を収容する振動管に気泡が付着することはない。測定時に振動管中にほう素化合物含有溶液中に気泡が発生しないので、ほう素化合物含有溶液の密度が正確に測定される。この超音波照射は、被測定対象がほう素化合物含有溶液以外の溶液にも好適に適用される。
【００２６】
振動式密度計でほう素化合物含有溶液の密度を測定する場合、取り扱い及び調製の簡単な空気と純水とを用いて振動式密度計の校正を行なうのが良い。すなわち、密度が既知の空気及び純水を振動式密度計に供して空気の振動数及び純水の振動数を測定する。これによって密度と振動数との相関が確かめられる。確かめられた密度と振動数との相関関係に基づいて決定されるほう素化合物含有溶液の密度とほう素化合物含有溶液のほう素濃度との相関式に基づいて、濃度未知のほう素化合物含有溶液のほう素濃度が測定される。
【００２７】
この発明の溶質濃度測定装置においては、密度計により、好適には振動式密度計により、濃度未知の溶質を含有する溶液の密度、特に濃度未知のほう素化合物を含有する溶液の密度に対応するパラメータを測定し、その測定信号を出力し、演算手段により、前記密度計から出力される測定信号に基づいて濃度未知の溶質を含有する溶液の密度を演算し、前記溶液の密度と密度測定時の温度とから前記溶液の密度と溶質濃度特にほう素濃度との相関式にしたがって溶質濃度を演算する。
【００２８】
振動式密度計を用いる場合には、前記振動式密度計に装備された振動管に供給される濃度未知のほう素化合物含有溶液に超音波照射装置により超音波を照射することにより、ほう素化合物含有溶液中の溶存気体を脱気する脱気装置を設けるのが良い。したがって、振動管に供給されるほう素化合物含有溶液は、たとえば測定時の温度が高温であったとしても、気泡を発生することがない。気泡のないほう素化合物含有溶液を収容する振動管の振動数を振動式密度計で測定するのであるから、正確なほう素化合物含有溶液の密度を測定することができ、ひいてはほう素化合物含有溶液のほう素濃度が正確に測定される。
【００２９】
この発明の溶質濃度測定方法たとえばほう素濃度測定方法及びその方法を実施するに好適な溶質濃度測定装置たとえばほう素濃度測定装置のそれぞれ一例について、図面を参照しながら詳述する。
【００３０】
図１はこの発明の一実施例であるほう素濃度測定装置を示す概略説明図である。
【００３１】
図１に示されるように、このほう素濃度測定装置は、振動式密度計１と、ほう素化合物含有溶液を貯留するほう素化合物含有溶液貯留槽２と、超音波照射装置３と、洗浄液供給装置４と、演算手段である演算制御装置５と、出力装置６と、操作入力装置７とを有する。
【００３２】
この振動式密度計は、ほう素化合物含有溶液を流通させるＵ字状に形成された振動管９と、前記振動管９のＵ字状の折返し部分に設けられた磁石片１０と、この磁石片１０に臨むように配置された検出・駆動ヘッド１１と、前記振動管９を所定温度に加熱する振動管加熱手段１２たとえばヒータとを有する。
【００３３】
この振動式密度計における前記検出・駆動ヘッド１１からは、前記振動管９の振動数に対応する検出信号が演算制御装置５に出力されるようになっている。
【００３４】
前記ほう素化合物含有溶液貯留槽２は、ほう素化合物含有溶液を貯留する槽であり、たとえば原子炉の一次炉水管から採取した一次炉水（一次冷却材である。）であるほう素化合物含有溶液を一次的に貯留し、次いでこのほう素化合物含有溶液を前記振動管９に供給するようになっている。このほう素化合物含有溶液貯留槽２は前記振動管９とは配管で接続され、その配管の途中には三方コック１３が介装されている。また、このほう素化合物含有溶液貯留槽２には、その天井部に排気管１４が接続され、その排気管１４は排気ポンプＰに結合されている。この排気ポンプＰを駆動することによりこのほう素化合物含有溶液貯留槽２内が減圧に維持されることができる。更にこのほう素化合物含有溶液貯留槽２には、貯留するほう素化合物含有溶液を所定の温度に加熱するほう素化合物含有溶液加熱手段（図示せず。）が設けられる。このほう素化合物含有溶液加熱手段は、演算制御装置５から出力される指令信号により駆動されてほう素化合物含有溶液を所定温度に加熱するように構成される。
【００３５】
超音波照射装置３は、前記演算制御装置５からの指令信号を入力して、前記ほう素化合物含有溶液貯留槽２内のほう素化合物含有溶液に超音波を照射することができるように、前記ほう素化合物含有溶液貯留槽２に臨んで配置された超音波振動子アレイ（図示せず。）を有する。
【００３６】
洗浄液供給装置４は、洗浄液を収容する洗浄液収容槽１５と、この洗浄液収容槽１５中の洗浄液を前記三方コック１３に供給する配管と、洗浄液収容槽１５内の洗浄液を加熱する洗浄液加熱手段１６とを有する。
【００３７】
演算制御装置５はこの発明における演算手段としての機能と、前記操作入力装置７から入力される指令に応じて、前記超音波照射装置３、及び振動式密度計１の動作を制御し、洗浄液を所定温度に加熱し、また振動管９を所定温度に加熱するために前記洗浄液加熱手段１６、振動管加熱手段１２及びほう素化合物含有溶液加熱手段（図示せず。）に指令信号を出力する機能とを有する。
【００３８】
この演算制御装置５は、前記演算手段として、前記検出・駆動ヘッド１１から出力される検出信号を入力し、密度未知の試料の密度を算出する。
【００３９】
ここで、密度未知の試料の密度ｄは以下の式（１）に従って演算される。
【００４０】
ｄ＝ｄa −Ｆ（Ｔa2−Ｔ2 ）・・・（１）
ただし、ｄは未知試料の密度を示し、ｄa は標準物質である空気の既知の密度値を示し、Ｆはファクタ値を示し、Ｔa は前記標準物質としての空気を装填する振動管９の振動周期を示し、Ｔは未知試料を装填する振動管９の振動周期を示す。また、前記ファクタ値は以下の式（２）に従って演算されて求められる。
【００４１】
Ｆ＝（ｄa −ｄw ）／（Ｔa2−Ｔw2）・・・（２）
ただし、ｄa は前記と同様の意味を示し、ｄw は標準物質である純水の既知の密度値を示し、Ｔa は前記と同様の意味を示し、Ｔw は標準物質である純水を装填した振動管９の振動周期を示す。
【００４２】
この演算制御装置５はメモリーを有していて、密度値ｄa が既知である標準物質としての空気を装填した振動管９の振動周期Ｔa 、密度値ｄw が既知である標準物質としての空気を装填した振動管９の振動周期Ｔw をこのメモリーに格納している。また、ほう素濃度が既知であるほう素化合物含有溶液を収容した振動管９の振動数を入力し、この振動数の逆数すなわち振動周期を前記式（１）に代入して求められたほう素化合物含有溶液のほう素濃度を、このメモリーに格納されている。
【００４３】
この発明において重要なことは、標準物質として選択された密度既知の空気を収容する振動管９の振動数と標準物質として選択された密度既知の純水を収容した振動管９の振動数とから得られる標準物質の密度とほう素濃度既知のほう素化合物含有溶液のそのほう素濃度とが良好な相関を有することである。換言すると、このほう素濃度測定装置は、振動式密度計１を空気と純水とを標準物質として構成しており、空気と純水とで構成されて得られた前記式（２）を基礎にして、試料の密度からほう素濃度を測定するようになっている。
【００４４】
たとえば、密度０．００１１６の空気と密度０．９９５６５の純水とを標準物質として、振動式密度計で測定された空気と純水との振動数からファクタ値を求め、次いで、慎重に手分析されて求められたほう素濃度が３１３７ｐｐｍであるほう酸溶液の密度を求めたところ、そのほう酸溶液の密度は１．００１９１であった。このほう酸溶液の密度から、後述する相関式（３）に基づいて求められたほう酸溶液のほう素濃度は３１７６ｐｐｍであった。同様にして２回同じ操作を繰り返したところ、ほう素濃度は３１７２ｐｐｍ、及び３１７４ｐｐｍであった。
【００４５】
このように、純水と空気とを標準物質として校正された振動式密度計により測定された密度とほう素化合物含有溶液中のほう素濃度とが良好な相関を有している。
【００４６】
このほう素濃度測定装置においては、所定の測定温度下でほう素濃度既知のほう素化合物含有溶液を収容した振動管９の振動数を前記振動式密度計１で測定することにより得られたところの、このほう素濃度既知のほう素化合物含有溶液の密度を、前記メモリー（図示せず。）が格納している。メモリーに格納しているほう素濃度既知のほう素化合物含有溶液の密度とこのほう素化合物含有溶液のほう素濃度とが、一次式｛Ｙ＝ａＸ＋ｂ（ただし、Ｙはほう素化合物含有溶液の密度（単位；ｇ／ｃｍ3 ）｝の相関関係を有している。この一次式の好適な一例を、図２に示す。図２に示される相関を一般化した以下の式（３）が、演算制御装置５内のメモリーに格納されている。
【００４７】
Ｙ＝（−３×１０-6×ｔ2 −１０-4×ｔ＋１．００２１）Ｘ＋３×１０-11 ×ｔ2 −６×１０-9×ｔ＋０．０６・・・（３）
（ただし、Ｙはほう素化合物含有溶液の密度（単位；ｇ／ｃｍ3 ）を示し、Ｘはほう素化合物含有溶液中のほう素濃度（単位；ｐｐｍ）を示し、ｔは測定時の温度を示す。）
この演算制御装置５は、ほう素濃度未知のほう素化合物含有溶液を収容した振動管９の振動数を検出した検出信号を前記検出・駆動ヘッド１１から入力し、検出信号により求められる振動周期から前記式（１）に基づいて密度を求め、求めた密度及び測定時の温度から前記式（３）に従ってほう素濃度Ｘを演算する。
【００４８】
前記出力装置６は前記演算制御装置５から出力される演算結果を表示する機能を有し、たとえばＸＹプロッター、ＣＲＴ及びプリンターなどで構成される。
【００４９】
前記操作入力装置７は、このほう素濃度測定装置を操作する指令信号を出力し、また各種のデータたとえば測定時の温度標準物質の密度値等を入力することができるように構成される。
【００５０】
次にこの発明のほう酸濃度測定方法について、前記ほう酸濃度測定装置の動作に則して説明する。
【００５１】
この発明の一実施例であるほう酸濃度測定方法は、脱気工程、洗浄工程、測定工程及び演算工程とを有する。
【００５２】
−洗浄工程−
洗浄工程は、振動管９中に未知のほう素化合物含有溶液を流通させる以前に振動管９中を洗浄液で洗浄する工程である。
【００５３】
ここでほう素化合物含有溶液におけるほう素化合物としては、たとえばほう酸ナトリウム、ほう酸アンモニウム、ほう酸リチウム、ほう酸等を挙げることができる。ほう素化合物含有溶液として好ましいのは、ほう酸溶液である。また、この発明の方法に好適なほう素化合物含有溶液として、たとえば原子炉に使用される一次冷却水などを挙げることができる。
【００５４】
換言すると、この発明の方法及び装置は原子炉における一次冷却水中のほう素濃度測定に好適である。また、観点を変えて言うと、この発明におけるほう素化合物含有溶液としては、ほう素濃度がｐｐｍオーダ以上であるほう素化合物含有化合物がこの発明に好適である。
【００５５】
前記ほう素濃度測定装置においては、操作入力装置７を介して、振動管９を加熱する所定温度を入力しておく。この所定温度は振動管９の振動を測定する際の測定温度である。測定温度が入力されると、演算制御装置５は洗浄液加熱手段１６に指令信号を出力することにより、洗浄液加熱手段１６を動作させ、洗浄液収容槽１５内の洗浄液を所定温度に加熱する。洗浄液は通常純水が使用される。
【００５６】
一方、演算制御装置５は振動管加熱手段１２に指令信号を出力することにより振動管加熱手段１２を動作させ、振動管９を所定温度に加熱する。振動管９が加熱される所定温度と洗浄液が加熱される所定温度とは同一温度に設定される。
【００５７】
次いで、演算制御装置５から指令信号が三方コック１３に出力されて、三方コック１３によって洗浄液収容槽１５と振動管９とが連通状態に、振動管９とほう素化合物含有溶液貯留槽２とが不通状態になる。洗浄液収容槽１５から洗浄液が振動管９中に流通されて振動管９内が洗浄される。
【００５８】
このとき、洗浄液の温度と振動管９の温度とが一致しているので、振動管９は洗浄液の流通にもかかわらず温度変化による膨張あるいは収縮を生じない。振動管９の内容積が洗浄液の流通にもかかわらず変化しないので、後の測定工程における振動数の測定に誤差を生じることがない。
【００５９】
尚、洗浄液供給装置４は、この洗浄液収容槽１５内の収容液に超音波を照射する超音波装置を付設しておくのが好ましい、洗浄液収容槽１５内の収容液に超音波を照射することにより洗浄液を脱気しておくと、洗浄液が振動管９中を通過する際に洗浄液から発生して振動管９の内壁に付着する気泡の発生を防止することができて好ましい。
【００６０】
−脱気工程−
脱気工程は振動管９にほう素化合物含有溶液を流通させる以前にそのほう素化合物含有溶液を脱気させる工程である。
【００６１】
前記ほう素濃度測定装置においては、前記洗浄工程が実施されている間に、ほう素化合物含有溶液貯留槽２にほう素化合物含有溶液が供給され、所定量のほう素化合物含有溶液がほう素化合物含有溶液貯留槽２に貯留される。なお、この脱気工程中、ほう素化合物含有溶液貯留槽２と振動管９とは不通状態になるように三方コック１３が動作している。ほう素化合物含有溶液が貯留されている間、演算制御装置５から出力される指令信号を入力した超音波照射装置３が動作して超音波照射装置３からほう素化合物含有溶液に超音波が照射される。超音波が照射されると、ほう素化合物含有溶液中の溶存気体が気泡となって現出する。排気ポンプＰにより現出した気泡はほう素化合物含有溶液貯留槽２外に排出される。所定時間かけてこの脱気工程を実施する。脱気工程中、このほう素化合物含有溶液貯留槽２内のほう素化合物含有溶液は、ほう素化合物含有溶液加熱手段により所定の温度に加熱されている。
【００６２】
−測定工程−
前記洗浄工程及び脱気工程が終了すると、測定工程が実施される。この測定工程は、ほう素化合物含有溶液を振動管９中に流通させ、ほう素化合物含有溶液を収容する振動管９の振動数を測定し、この振動数からほう素化合物含有溶液の密度を算出する工程である。この測定工程は、この発明の方法における濃度未知のほう素化合物含有溶液の密度を振動式密度計１で測定する工程に相当する。
【００６３】
前記ほう素濃度測定装置においては、演算制御装置５から出力される指令信号によって三方コック１３が動作して、ほう素化合物含有溶液貯留槽２と振動管９とが連通状態になり、洗浄液収容槽１５と振動管９とは不通状態になる。ほう素化合物含有溶液貯留槽２から振動管９中に、ほう素化合物含有溶液が供給される。このとき、ほう素化合物含有溶液貯留槽２内のほう素化合物含有溶液が測定温度に加熱され、また振動管９も振動管加熱手段１２により測定温度に加熱され、さらにまた、洗浄液が測定温度に加熱されていたので、ほう素化合物含有溶液を収容する振動管９の振動を測定する際に、温度変化に基づく誤差の発生はない。さらに前記脱気工程によりほう素化合物含有溶液を脱気しているので、振動管中をほう素化合物含有溶液が流通しているときにこのほう素化合物含有溶液中に気泡が発生することがない。したがって、気泡発生による測定誤差がない。
【００６４】
振動管９の先端部に設けられた磁石片１０と検出・駆動ヘッド１１との電磁気結合により振動管９が振動し、その振動数を検出・駆動ヘッド１１が検出する。検出・駆動ヘッド１１は検出信号を演算制御装置５に出力する。
【００６５】
演算制御装置５においては、入力する検出信号に基づいて、前記式（１）に従って先ずそのほう素化合物含有溶液の密度を求める。
【００６６】
−演算工程−
この演算工程は上記の測定工程で求められたほう素化合物含有溶液の密度からほう素化合物含有溶液中のほう素濃度を算出する工程である。この工程はこの発明における得られるほう素化合物含有溶液の密度をほう素化合物含有溶液の密度と濃度との相関式にしたがってほう素化合物含有溶液中のほう素濃度を演算する工程に相当する。
【００６７】
前記ほう素濃度測定装置においては、演算制御装置５で求められたほう素化合物含有溶液の密度及び測定温度から前記式（３）に従ってほう素濃度が算出される。
【００６８】
算出結果は、演算制御装置５から出力装置６に出力され、表示される。
【００６９】
以上に詳述したように、このほう素濃度測定方法によると、簡単な操作により正確にほう素化合物含有溶液中のほう素濃度を測定することができる。
【００７０】
以上、この発明の一実施例について説明したが、この発明は前記実施例に限定されるものではない。
【００７１】
たとえば、振動式密度計１は、真空中あるいは空気中に置かれた中空の振動管９の振動数と振動管９の内部あるいは内・外部にほう素化合物含有溶液を満たしたときの振動数の相違からほう素化合物含有溶液の密度を求めることができる限り、その構造ないし構成に制限はない。振動式密度計１における振動管９の振動の形式として、横方向に振動させるタイプと円周上の曲げ振動を利用するタイプとがあるが、この発明においてはいずれのタイプの振動形式を有する振動管９であっても良い。また、振動管９を振動させる方式として、電磁気結合を利用した方式以外の方式を採用することもできる。振動数の検出には電磁気結合を応用した検出器及び光を用いた検出器のいずれをも、この発明においては採用することができる。
【００７２】
【発明の効果】
この発明によると、滴定操作などに代表される手分析において見られたようなほう素濃度測定値の誤差がなく、操作者による測定値のバラつきがなく、簡単な操作で正確にほう素化合物含有溶液のほう素濃度を測定することのできるほう素濃度測定方法及びほう素濃度測定装置を提供することができる。この発明によると、振動式密度計を利用してほう素化合物含有溶液のほう素濃度を、簡単な操作で正確に求めることのできるほう素濃度測定方法及びほう素濃度測定装置を提供することができる。この発明によると、振動式密度計を利用してほう素化合物含有溶液のほう素濃度を、振動式密度計中の振動管中に気泡を発生させずに、簡単な操作で正確に求めることのできるほう素濃度測定方法及びほう素濃度測定装置を提供することができる。この発明によると、振動式密度計を利用してほう素化合物含有溶液のほう素濃度を、振動式密度計中の振動管を洗浄することにより発生する測定誤差を無くして、簡単な操作で正確に求めることのできるほう素濃度測定方法及びほう素濃度測定装置を提供することができる。この発明によると、簡単な操作により校正された振動式密度計を利用して、ほう素化合物含有溶液の密度とほう素化合物含有溶液中のほう素濃度との良好な相関関係を基礎にして、簡単な操作でバラつきなく正確にほう素濃度を測定することのできるほう素濃度測定方法及びほう素濃度測定装置を提供することができる。
【図面の簡単な説明】
【図１】図１はこの発明の一実施例であるほう素濃度測定装置を示す概略説明図である。
【図２】図２はほう素化合物含有溶液の密度とほう素化合物含有溶液中のほう素濃度との相関を示すグラフである。
【符号の説明】
１・・・振動式密度計、２・・・ほう素化合物含有溶液貯留槽、３・・・超音波照射装置、４・・・洗浄液供給装置、５・・・１・・・振動式密度計、２・・・ほう素化合物含有溶液貯留槽、３・・・超音波照射装置、４・・・洗浄液供給装置、５・・・演算制御装置、６・・・出力装置、７・・・操作入力装置、９・・・振動管、１０・・・磁石片、１１・・・検出・駆動ヘッド、１２・・・振動管加熱手段、１３・・・三方コック、１４・・・排気管、１５・・・洗浄液収容槽、１６・・・洗浄液加熱手段。
【図１】
0003637407.tif 000002
【図２】
0003637407.tif 000003